(57)【要約】      （修正有）【課題】実際に舌の運動を行わせることなく、舌の運動機能を簡便に評価することができる舌測定装置を提供する。【解決手段】舌測定装置１００は、一対の電流印加用電極12a,12b及び一対の電圧印加用電極12c,12dを有するプローブ１０と、交流電流と測定電圧とに基づいて舌のインピーダンスを算出するインピーダンス算出部と、舌のインピーダンスと舌圧との関係を示す回帰式を記憶したメモリと、回帰式を用いて、インピーダンス算出部で算出された舌のインピーダンスに対応する舌圧を生成する指標生成部とを備える。【選択図】図１
2014188029.tif 000002
【特許請求の範囲】
【請求項１】
舌に接触させて用いる一対の電流印加用電極及び一対の電圧印加用電極を有するプローブと、
前記一対の電流印加用電極に交流電流を出力する電流発生部と、
前記一対の電圧印加用電極の電圧を測定する電圧測定部と、
前記交流電流と前記電圧測定部で測定された電圧とに基づいて舌のインピーダンスを算出するインピーダンス算出部と、
舌のインピーダンスと舌を動かす能力を示す指標との関係を記憶した記憶部と、
前記記憶部に記憶された前記関係を用いて、前記インピーダンス算出部で算出された前記舌のインピーダンスに対応する前記舌を動かす能力を示す指標を生成する指標生成部と、
を備えることを特徴とする舌測定装置。
【請求項２】
前記記憶部には、舌のインピーダンスと舌を動かす能力を示す指標との関係として、舌のインピーダンスと舌の筋肉断面積とを対応づける第1の関係と、舌の筋肉断面積と舌を動かす能力を示す指標とを対応づける第２の関係とが記憶されており、
前記指標生成部は、前記記憶部に記憶された前記第1の関係を用いて、前記インピーダンス算出部で算出された前記舌のインピーダンスに対応する前記舌の筋肉断面積を生成し、前記記憶部に記憶された前記第２の関係を用いて、前記舌の筋肉断面積に対応する前記舌を動かす能力を示す指標を生成する、
ことを特徴とする請求項１に記載の舌測定装置。
【請求項３】
前記プローブの先端側に前記一対の電流印加用電極及び前記一対の電圧印加用電極とが設けられており、
前記プローブの根元側には、溝が形成される、
ことを特徴とする請求項１又は２に記載の舌測定装置。
【請求項４】
前記溝は、前記プローブの根元側に複数形成されていることを特徴とする請求項３に記載の舌測定装置。
【請求項５】
前記複数の溝の各々に対応して設けられ、利用者が噛んだ溝を検出する複数の位置検出センサと、
前記複数の位置検出センサの出力信号に基づいて、前記舌のインピーダンスを計測する舌の計測位置を特定する位置特定部と、
前記位置特定部で特定した前記舌の計測位置と前記指標とを対応付けて記憶する計測結果記憶部と、
を備える請求項４に記載の舌測定装置。
【請求項６】
前記一対の電流印加用電極及び前記一対の電圧印加用電極は、前記プローブの一方の面に形成されていることを特徴とする請求項１乃至５のいずれかに記載の舌測定装置。
【発明の詳細な説明】
【技術分野】
【０００１】
本発明は、舌の運動機能を測定するための舌測定装置に関する。
【背景技術】
【０００２】
近年、口腔・咽頭・食道等において、加齢によって筋肉量が減少する現象であるサルコペニアが生じ、口腔等の運動機能が低下することが解明されてきた。特に、摂食・嚥下機能には舌の動きが深く関与しており、食塊の形成及び咽頭への送り込みには舌圧が重要であると考えられている。そのため、これら摂食・嚥下機能を含む口腔機能を測定して評価を行うことが望まれている。
【０００３】
この口腔機能を評価する方法として、例えば、筋電位によるスペクトル解析を使った嚥下評価方法がある（例えば、特許文献１）。この特許文献１に開示された技術では、飲食品の嚥下時に、ヒト咽頭部の表面筋電位の波形データを測定して、スペクトル解析することで嚥下の評価を行う。
【先行技術文献】
【特許文献】
【０００４】
【特許文献１】特許第４７０２８６０号
【発明の概要】
【発明が解決しようとする課題】
【０００５】
しかしながら、特許文献１に開示された技術は、実際にものを食べさせた状態で嚥下が正常か否かを評価するものであるため、嚥下能力を短時間に評価することはできず、検査手法としては不適切である。
【０００６】
以上の事情に鑑みて、本発明は、利用者に対し実際に舌の運動を行わせるなどの複雑な操作を要求することなく所定の測定精度を安定して得られ、舌の運動機能を簡便に評価するという課題の解決を目的としている。
【課題を解決するための手段】
【０００７】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００８】
本発明に係る舌測定装置は、舌に接触させて用いる一対の電流印加用電極（図１に示す電流印加用電極１２a及び１２b）及び一対の電圧印加用電極（図１に示す電圧印加用電極１２c及び１２d）を有するプローブ（図１に示すプローブ１０）と、前記一対の電流印加用電極に交流電流を出力する電流発生部（図４に示す電流発生部２４）と、  前記一対の電圧印加用電極の電圧を測定する電圧測定部（図４に示す電圧測定部２３）と、前記交流電流と前記電圧測定部で測定された電圧とに基づいて舌のインピーダンスを算出するインピーダンス算出部（図４に示すインピーダンス算出部３１）と、舌のインピーダンスと舌を動かす能力を示す指標との関係を記憶した記憶部（図４に示すメモリ２５）と、前記記憶部に記憶された前記関係を用いて、前記インピーダンス算出部で算出された前記舌のインピーダンスに対応する前記舌を動かす能力を示す指標を生成する指標生成部（図４に示す指標生成部３２）とを備える。
【０００９】
ここで、「舌を動かす能力を示す指標」とは、舌圧の他、一定時間に唾を飲み込める回数や、一定時間に「パ」「タ」「カ」といった破裂音を発音できる回数などが含まれる。但し、舌を動かした結果として得られる生体情報は含まれない。例えば、口腔内に分泌される唾液量は「舌を動かす能力を示す指標」に含まれない。
また、「舌のインピーダンスと舌を動かす能力を示す指標との関係」は、舌のインピーダンスと舌を動かす能力を示す指標とを直接的に結び付けるものであってもよいし、あるいは、間接的に結び付けるものであってもよい。また、上述した関係は回帰式であってもよいし、あるいは、舌のインピーダンスと舌を動かす能力を示す指標とを対応づけて記憶したテーブルであってもよい。
【００１０】
上述した舌測定装置において、前記記憶部には、舌のインピーダンスと舌を動かす能力を示す指標との関係として、舌のインピーダンスと舌の筋肉断面積とを対応づける第1の関係と、舌の筋肉断面積と舌を動かす能力を示す指標とを対応づける第２の関係とが記憶されており、前記指標生成部は、前記記憶部に記憶された前記第1の関係を用いて、前記インピーダンス算出部で算出された前記舌のインピーダンスに対応する前記舌の筋肉断面積を生成し、前記記憶部に記憶された前記第２の関係を用いて、前記舌の筋肉断面積に対応する前記舌を動かす能力を示す指標を生成することが好ましい。
この態様によれば、舌のインピーダンスから直接的に舌を動かす能力を示す指標を得るのではなく、まず、第1の関係を用いて舌のインピーダンスから舌の筋肉断面積を生成し、さらに、第２の関係を用いて舌の筋肉断面積から舌を動かす能力を示す指標を生成する。従って、舌を動かす能力を示す指標を生成する過程で舌の筋肉断面積を得ることができ、舌の筋肉断面積を利用者の健康状態を知るために役立てることができる。
【００１１】
本発明に係る舌測定装置の好適な態様として、前記一対の電流印加用電極及び前記一対の電圧印加用電極とが設けられており、前記プローブの根元側には、溝（図１に示す溝１３a，１３b，及び１３cのうち少なくとも一つ）が形成される態様とすることもできる。この場合には、利用者がプローブの根元側に形成された溝を歯で噛むことで、舌と接触する一対の電流印加用電極及び一対の電圧印加用電極の位置が固定されるため、測定位置のずれによって生じる測定値のバラツキを防止することができる。
【００１２】
また、本発明に係る舌測定装置の好適な態様として、溝は、プローブの根元側に複数形成されている態様とすることもできる。利用者は溝を噛むことによって舌の上のプローブの位置を固定する。この発明によれば、プローブには複数の溝が設けられているので、どの溝を噛むかによって、プローブを口腔内に挿入する深さが相違する。従って、異なる溝溝（図１に示す溝１３a，１３b，又は１３c）を噛むことで、舌に接触する一対の電流印加用電極（図１に示す電流印加用電極１２a及び１２b）及び一対の電圧印加用電極（図１に示す電圧印加用電極１２c及び１２d）の位置を変更できるため、例えば、舌の先端部、中央部、あるいは奥部といった各部における舌を動かす能力を測定することができる。
【００１３】
本発明に係る舌測定装置の好適な態様として、前記複数の溝の各々に対応して設けられ、利用者が噛んだ溝を検出する複数の位置検出センサ（図１に示す位置検出センサ１１a，１１b，及び１１c）と、前記複数の位置検出センサの出力信号に基づいて、前記舌のインピーダンスを計測する舌の計測位置を特定する位置特定部（図４に示す位置特定部３３）と、前記位置特定部で特定した前記舌の計測位置と前記指標とを対応付けて記憶する計測結果記憶部（図５に示す履歴テーブルＴＢＬ）とを備える態様とすることもできる。
この発明によれば、どの溝を利用者が前歯で噛んだかを位置検出センサの出力信号に基づいて特定できるので、舌のインピーダンスを計測する舌の計測位置と指標とを対応付けて記憶できる。よって、舌の各部における舌を動かす能力を分析して、詳細な評価をすることができる。なお、位置検出センサは、利用者が噛んだ溝を検出するのであればどのようなセンサを用いてもよく、検出方法は不問である。例えば、位置検出センサとして、圧力を検出する圧力センサや接触を検出する接触センサを用いることができ、検出方式としては、機械的変位方式、抵抗変化方式、静電容量変化方式、電荷変化方式、光学方式、反射率の変化方式、圧抵抗効果方式又は磁気変化方式が含まれる。
【００１４】
本発明に係る舌測定装置の好適な態様として、前記一対の電流印加用電極及び前記一対の電圧印加用電極は、前記プローブの一方の面に形成された態様とすることもできる。この場合には、例えば、プローブの下面側にのみ一対の電流印加用電極及び一対の電圧印加用電極が設けられている場合には、口蓋（上顎）に一対の電流印加用電極及び一対の電圧印加用電極とが接触することを防止できるため、測定精度を向上させることができる。
【図面の簡単な説明】
【００１５】
【図１】本発明の実施形態に係る舌測定装置の外観を示す図である。
【図２】同装置に用いるプローブの外観を示す斜視図である。
【図３】同プローブの溝と測定位置との関係を示す説明図である。
【図４】同実施形態に係る舌測定装置の詳細な構成を示すブロック図である。
【図５】同実施形態に係る履歴テーブルに蓄積されるデータを示す図である。
【図６】舌の組織の等価回路を示す図である。
【図７】交流電流と測定電圧との波形変化を示す図である。
【図８】インピーダンスの抵抗成分及びリアクタンス成分の関係を座標に表す図である。
【図９】（ａ）は、利用者の口腔内を側面より示す図であり、同図（ｂ）は、舌を円柱として場合におけるインピーダンスと断面積との関係を説明するためのモデル図である。
【図１０】本実施形態の方法で測定したインピーダンスと、ＭＲＩで測定された舌の筋肉断面積との関係を示す相関図である。
【図１１】本実施形態の方法で推定された舌の筋肉断面積と、舌圧との関係を示す相関図である。
【図１２】舌の組織を示す説明図である。
【図１３】交流電流が舌を流れるときの様子を示す模式図と、その位相角を示す説明図である。
【図１４】舌の筋肉層及び脂肪層の等価回路を示す図である。
【図１５】実施形態の方法で算出されたＲ／Ｘと、ＭＲＩで測定された脂肪断面積との関係を示す相関図である。
【図１６】舌測定装置の動作を示すフローチャートである。
【図１７】本実施形態の方法で測定したインピーダンスと、ＭＲＩで測定された舌圧との関係を示す相関図である。
【図１８】（ａ）及び（ｂ）は、本発明の変形例に係るプローブの溝の配置を示す側面図である。
【図１９】本発明の変更例に係るプローブの電極の配置を示す側面図である。
【図２０】（ａ）乃至（ｄ）は、本発明の変更例にプローブの断面形状を示す断面図である。
【発明を実施するための形態】
【００１６】
＜Ａ：構成＞
以下に添付図面を参照して、本発明に係る舌測定装置の実施形態を詳細に説明する。本実施形態では、舌の運動機能を示す指標として舌圧を例に説明するものとする。図１は、本実施形態に係る舌測定装置１００の外観を示す図であり、図２は、プローブの斜視図である。
【００１７】
図１に示すように、舌測定装置１００は、プローブ１０と本体２０とを備える。プローブ１０は、本体２０と取り付けられており、その先端の表面には、舌に接触させて舌圧及び舌の脂肪断面積などの測定を行うための電極（１２ａ，１２ｂ，１２ｃ，及び１２ｄ）がプローブの全周にわたって設けられている。
【００１８】
具体的に、プローブ１０の先端側には、第１の電流印加用電極１２ａ、第２の電流印加用電極１２ｂ、第１の電圧測定用電極１２ｃ及び第２の電圧測定用電極１２ｄが設けられている。第１の電流印加用電極１２ａ及び第２の電流印加用電極１２ｂは、第１の電圧測定用電極１２ｃと第２の電圧測定用電極１２ｄとの外側に配置される。これらの電極（１２ａ，１２ｂ，１２ｃ，及び１２ｄ）において隣り合う電極間の距離ｄは、２ｍｍ〜２０ｍｍに設定される。
【００１９】
また、プローブ１０の根元側には、複数の溝（１３ａ，１３ｂ，及び１３ｃ）が形成されている。これらの溝（１３ａ，１３ｂ，及び１３ｃ）は、プローブ１０の上面及び下面にそれぞれ設けられている。また、複数の溝（１３ａ，１３ｂ，及び１３ｃ）の各々には、利用者が噛んだ溝を検出する位置検出センサ（１１ａ，１１ｂ，又は１１ｃ）が内部に設けられており、上前歯及び下前歯が溝を噛んだ際、噛まれた溝（１３ａ，１３ｂ，又は１３ｃ）を特定するようになっている。位置検出センサ（１１ａ，１１ｂ，及び１１ｃ）は、例えば、圧力を検出する圧力センサや接触を検出する接触センサを用いることができ、検出方式としては、機械的変位方式、抵抗変化方式、静電容量変化方式、電荷変化方式、光学方式、反射率の変化方式、圧抵抗効果方式又は磁気変化方式が含まれる。
【００２０】
図３に、測定対象となる舌の各部と利用者が噛む溝との関係を模式的に示す。利用者がどの溝を上前歯及び下前歯で噛むかによって、口腔内に挿入されるプローブ１０の深さが異なる。プローブ１０の根元に最も近い溝１３ｃを利用者が噛むと位置検出センサ１１ｃの出力信号がアクティブとなる。この場合、プローブ１０は口腔内に深く挿入される。このため、舌の奥部が測定位置となる。プローブ１０の根元に２番目に近い溝１３ｂを利用者が噛むと位置検出センサ１１ｂの出力信号がアクティブとなる。この場合、舌の中央部が測定位置となる。さらに、プローブ１０の根元から最も離れた溝１３ａを利用者が噛むと位置検出センサ１１ａの出力信号がアクティブとなる。この場合、プローブ１０は口腔内に浅く挿入されるため、舌の先端部が測定位置となる。
【００２１】
本体２０は、外観上に、表示部２２と、入力部（２１ａ，２１ｂ）とを備える。入力部（２１ａ，２１ｂ）は、測定キー２１ａと、電源キー２１ｂとを含む。測定キー２１ａは、利用者が測定開始や過去の測定結果の履歴の表示を指示するために用いられ、電源キー２１ｂは、一連の測定のために本体２０に対して電力供給を開始させるために用いられる。また、表示部２２には、今回の測定結果や過去の測定結果が表示される。
【００２２】
図４は、本実施形態に係る舌測定装置１００の詳細な構成を示すブロック図である。図２に示すように、本体２０は、前述の表示部２２、及び入力部２１の他、電流発生部２４と、電圧測定部２３と、電源部２５と、メモリ２６と、ＣＰＵ３０とを備える。
【００２３】
電流発生部２４は、プローブ１０を口腔内に挿入して舌に押し当てた状態で、第１の電流印加用電極１２ａと第２の電流印加用電極１２ｂとから交流電流を舌の組織に流す。本実施形態では、電流発生部２４から出力される交流電流の周波数は５０ｋＨｚに設定される。但し、交流電流の周波数は舌の内部の組織に交流電流を流すことが可能な５ｋＨｚ〜５００ｋＨｚであれば良い。特に、４０ｋＨｚを超える周波数は、効率的に舌の内部の組織に交流電流を供給する観点から好ましい。電圧測定部２３は、第１の電圧測定用電極１２ｃと第２の電圧測定用電極１２ｄとの間の電圧を測定する。
【００２４】
電源部２５は、本体２０の電気系統各部に電力を供給する。メモリ２６は、ＣＰＵ３０の作業領域として機能するとともに、利用者の舌の筋肉断面積、舌圧、舌の脂肪断面積、などを演算するための各種の演算式、舌を動かす能力を評価するために用いる評価基準レベル、及び計測結果の履歴を格納した履歴テーブルＴＢＬなどを記憶する。
【００２５】
この履歴テーブルＴＢＬは、図５に示すように、舌の測定位置（先端部、中央部、奥部）に応じた舌圧（ｋＰａ）、舌の筋肉断面積（ｍｍ２）、舌の脂肪断面積（ｍｍ２）、舌圧及び評価レベル（例えば、健常レベル、要介入レベル、要介護レベルの３段階）が記録されている。
【００２６】
ＣＰＵ３０は、各種の制御処理を実行する手段である。このＣＰＵ３０は、所定のプログラムを実行することにより、インピーダンス算出部３１、指標生成部３２、及び位置特定部３３として機能する。インピーダンス算出部３１は、電流発生部２４から出力された交流電流と電圧測定部２３で測定された電圧とに基づいて舌のインピーダンスを算出する。
【００２７】
指標生成部３２は、インピーダンス算出部３１で算出された舌のインピーダンスに基づいて、舌を動かす能力を示す指標を生成する。位置特定部３３は、位置検出センサ（１１ａ、１１ｂ、及び１１ｃ）から出力される出力信号に基づいて、舌のインピーダンスを計測する計測位置を特定する。
【００２８】
＜Ｂ：測定原理＞
本実施形態の舌測定装置は、舌の筋肉断面積の測定、舌圧レベルの判定、及び舌の脂肪断面積の測定など、舌の運動機能の測定が可能となっている。以下、本実施形態における舌の運動機能の測定手法について説明する。
【００２９】
（１）舌のインピーダンスの測定
先ず、舌のインピーダンスの測定原理について説明する。図６は、人体の組織の等価回路を示す図であり、図７は、交流電流と測定電圧との波形変化を示す図であり、図８は、舌のインピーダンスの抵抗成分及びリアクタンス成分の関係を座標に表す図である。
【００３０】
通常、舌のインピーダンスは、図６に示すような、細胞外液抵抗Ｒｅ、細胞内液抵抗Ｒｉ、細胞膜容量Ｃｍからなる集中定数による等価回路で表される。したがって、舌に交流電流が流れると、測定される測定電圧は、図７に示すように、交流電流ｉ（ｔ）に対して位相がずれる。
【００３１】
インピーダンス算出部３１は、このような測定電圧に係るアナログ信号についてサンプリング処理を実行し、これをデジタル信号に変換する。そして、舌のインピーダンス、あるいはこれに基づく絶対値、位相差、抵抗成分値及び容量成分値等のパラメータ等は、このデジタル信号に対するＤＦＴ（Ｄｉｓｃｒｅｔｅ  Ｆｏｕｒｉｅｒ  Ｔｒａｎｓｆｏｒｍａｔｉｏｎ）処理を通じて取得される。本実施形態では、入力電流ｉ（ｔ）と、出力電圧ＶＨＵＭとを用い、ＤＦＴ処理を行うことで、舌のインピーダンスの容量成分（以下、リアクタンスＸと言う）と舌のインピーダンスの抵抗成分（以下、レジスタンスＲと言う。）とを算出する。
【００３２】
具体的に、リアクタンスＸ及びレジスタンスＲは、図８に示す関係から各々次式で求められる。
【数１】
2014188029.tif 000003
また、測定されたインピーダンスベクトルは、横軸をレジスタンスＲ、縦軸をリアクタンスＸにとる平面にプロットしていくと、そのベクトル軌跡は図８に示す円弧状の軌跡となる。この図８において、Ｚは舌のインピーダンスを示し、座標交点は零地点を示し、偏角φは位相差を示している。
【００３３】
したがって、舌のインピーダンスＺ、及び位相差φは、リアクタンスＸ及びレジスタンスＲを用いて各々次式（１）、（２）で求められる。
【数２】
2014188029.tif 000004
インピーダンス算出部３１は、式（１）及び式（２）を演算することによって、交流電流及び測定電圧から舌のインピーダンスＺ、位相差φ、リアクタンスＸ及びレジスタンスＲを算出することができる。
【００３４】
（２）舌の筋肉断面積の推定
次に、舌の筋肉断面積の推定について説明する。図９（ａ）は、利用者の口腔４０内を側面より示す図であり、同図（ｂ）は、舌４１を円柱として場合の、舌のインピーダンスと舌の筋肉断面積との関係を説明するためのモデル図である。
【００３５】
図９（ａ）に示すような口腔４０内の舌４１は、脂肪と筋肉とが混在するものであるが、図９（ｂ）に示すように、脂肪を外と筋肉を内に区分した円柱状に置き換える。脂肪には電解質がほとんど含まれていないので、絶縁体と仮定できる。一方、筋肉には電解質が多く含まれているため、導電体として仮定できる。そして、舌について、その筋肉（導電体）を測定する長さをＬ、舌の筋肉断面積をＡ、舌の筋肉抵抗値をρ、舌のインピーダンスをＺとすると、舌の筋肉断面積Ａは、以下に示す式（３）となる。
【数３】
2014188029.tif 000005
ここで、ρは物質固有の値であるため、一定値とみなすことができる。また、プローブ１０に設けられた電極間距離は一定のため、Ｌは一定値となる。したがって、舌の筋肉断面積Ａは、舌のインピーダンスＺに反比例することとなる。
【００３６】
このように舌の筋肉断面積と舌のインピーダンスには一定の関係がある。但し、舌の筋肉抵抗値ρは、被験者によって異なる値を示す。そこで、出願人は、多数の利用者について舌のインピーダンスとＭＲＩ（Magnetic Resonance Imaging system）を用いて舌の筋肉断面積とを測定した。次に、その測定結果を回帰分析して、舌のインピーダンスと筋肉断面積の比との関係を表す回帰式を得た。
【００３７】
図１０は、多数の利用者について、舌のインピーダンスと舌の筋肉断面積との関係を示す相関図である。ここで、舌の筋肉断面積をＳｍ、舌のインピーダンスをＺとすると、両者の関係を示す回帰式は、以下に示す式（４）で表される。
【数４】
2014188029.tif 000006
但し、ａ及びｂは定数である。
【００３８】
図１０に示す例では、舌のインピーダンスと、ＭＲＩで測定された舌の筋肉断面積とでは、相関係数ｒ＝０．８２という高い相関が得られる。したがって、回帰式（４）を用いた推定方法によれば、舌のインピーダンスの値をパラメータとして用いることにより舌の筋肉断面積を高い精度で推定することが可能になる。メモリ２６には回帰式（４）が記憶されている。指標生成部３２は、メモリ２６に記憶された回帰式（４）を読み出し、測定により得られた舌のインピーダンスを回帰式（４）に代入することにより舌の筋肉断面積を生成する。
【００３９】
（３）舌圧の推定
次いで、舌圧の推定について説明する。出願人は、多数の利用者について、ＭＲＩを用いて舌の筋肉断面積を測定すると共に、舌圧測定器を用いて舌圧を測定した。この舌圧測定器は小型風船を舌と上顎口蓋部との間に挟み、舌で小型風船を力いっぱい押し上げることにより、小型風船と連通した変換部で空気圧を検出し電気信号に変換して、舌圧を測定するものである。
図１１は、上記測定によって得られた舌の筋肉断面積と舌圧との相関図であり、両者には相関係数ｒ＝０．６９という高い相関がある。この測定結果を回帰分析して、舌のインピーダンスと筋肉断面積の比との関係を表す回帰式を得た。舌圧をＴpとしたとき、回帰式は以下に示す式（５）で与えられる。
【数５】
2014188029.tif 000007
但し、ｃ及びｄは定数である。回帰式（５）を用いた推定方法によれば、舌の筋肉断面積の値をパラメータとして用いることにより舌圧を高い精度で推定することができる。指標生成部３２は、先に推定した舌の筋肉断面積Ｓｍをメモリ２６に保存されている回帰式（５）に代入することで、舌圧Ｔpの値を求める。
【００４０】
（４）舌を動かす能力の評価レベルの判定
次いで、指標生成部３２は、舌圧に基づいて舌を動かす能力の評価レベルを判定する。具体的に、指標生成部３２は、本実施形態の方法で推定した舌圧の値と、メモリ２６に保存されている評価基準レベルとを比較して舌を動かす能力の評価レベルを判定する。本実施形態では、「健常レベル」、「要介入レベル」、「要介護レベル」といった３段階で判定を行う。評価基準レベルは、多数の被験者について測定した舌圧の平均値Ａｖと標準偏差ＳＤを予め算出し、平均値Ａｖ及び標準偏差ＳＤに基づいて定める。本実施形態で４個の評価基準レベルＲa1、Ｒa2、Ｒb1、及びＲb2を以下のように設定する。
Ｒb2＝Ａｖ-２ＳＤ＜Ｒb1＝Ａｖ-ＳＤ＜Ｒa1＝Ａｖ+ＳＤ＜Ｒa2＝Ａｖ+２ＳＤ
具体的には、指標生成部３２は、以下のように判定する。
Ｒb1≦推定した舌圧＜Ｒa1の場合、「健常レベル」
Ｒb2≦推定した舌圧＜Ｒb1又はＲa1≦推定した舌圧＜Ｒa2の場合、「要介入レベル」
推定した舌圧＜Ｒb2又はＲa2≦推定した舌圧の場合、「要介護レベル」
例えば、平均値Ａｖが４７.３ｋＰａ、標準偏差ＳＤが２.６ｋＰａであったとすると、
Ｒb2＝４２.１ｋＰａ、Ｒb1＝４４.７ｋＰａ、Ｒa1＝４９.９ｋＰａ、Ｒa2＝５２.５ｋｐａとなる。なお、評価基準レベルＲa1、Ｒa2、Ｒb1、及びＲb2はメモリ２６に記憶されている。
【００４１】
（５）舌の脂肪断面積の推定
次に、舌の脂肪断面積の算出について説明する。ここでは、先ず、電流発生部２４から出力される交流電流が舌の筋肉部分を流れるときに生じる交流電流と電圧測定部２３で測定された電圧との位相差と、電流発生部２４から出力される交流電流が舌の脂肪部分を流れるときに生じる交流電流と電圧測定部２３で測定された電圧との位相差との違いについて詳細に説明する。図１２は、舌の組織の概略図である。
【００４２】
図１２に示すように、舌の組織（筋肉組織及び脂肪組織）は、各々が細胞内液５０を含有する複数の細胞膜５２と、各細胞膜５２間に介在する細胞外液５４とを有する。そして、舌の筋肉組織及び舌の脂肪組織は、上述した図６に示すような、細胞外液抵抗Ｒｅ、細胞内液抵抗Ｒｉ、細胞膜容量Ｃｍからなる等価回路で表される。
【００４３】
舌の脂肪組織においては、細胞膜５２内に細胞内液５０が殆ど含有されていないため、細胞内液５０の抵抗Ｒｉの値は、細胞外液５４の抵抗Ｒｅの値に比べて非常に大きい値となる（Ｒｅ＜Ｒｉ）。このため、電流発生部２４から出力される交流電流が舌の脂肪組織を流れると、その電流の大部分は細胞外液の抵抗成分Ｒｅを流れるから、当該交流電流と電圧測定部２３にて測定される電圧との位相差は殆ど生じない。
【００４４】
一方、筋肉組織においては、細胞膜５２内に細胞内液５０が含有されているから、電流発生部２４から出力される交流電流が舌の筋肉組織を流れると、その交流電流は細胞外液の抵抗成分Ｒｅだけでなく、細胞膜５２の容量成分Ｃｍ及び細胞内液５０の抵抗成分Ｒｉを流れる。したがって、電流発生部２４から出力される交流電流と電圧測定部２３にて測定される電圧との間には容量成分Ｃｍの影響により位相差が生じる。即ち、筋肉部分は位相差を生じさせやすいという性質を有する一方、脂肪部分は位相差を生じさせにくいという性質を有するから、舌の脂肪量が大きいほど脂肪部分の性質が支配的となって位相差は小さくなる。一方、舌の脂肪量が小さいほど筋肉部分の性質が支配的となって位相差は大きくなる傾向を示す。本実施形態では、このことを利用して脂肪断面積を推定する。
【００４５】
より具体的には、以下のとおりである。インピーダンス算出部３１は、電極（１２ａ，１２ｂ，１２ｃ，及び１２ｄ）が舌に接触したときに、電流発生部２４から出力される交流電流と、電圧測定部２３にて測定される電圧とから、舌のインピーダンスの実数部分であるレジスタンスＲと、舌のインピーダンスの虚数部分であるリアクタンスＸとを求めたうえで、リアクタンスＸとレジスタンスＲとの比であるＲ／Ｘを求める。位相差が小さいほどレジスタンスＲに対するリアクタンスＸの割合は小さくなる一方、位相差が大きいほどレジスタンスＲに対するリアクタンスＸの割合は大きくなる。そして、インピーダンス算出部３１は、求めたＲ／Ｘの値に対応する舌の脂肪断面積を決定する。
【００４６】
ここで、上述のＲ／Ｘと、舌の脂肪断面積との関係について説明する。図１３は、交流電流が舌を流れるときの様子と、その位相差を示す模式図であり、同図（ａ）は、脂肪の混在率が多い場合を示す図であり、同図（ｂ）は、脂肪の混在率が少ない場合を示す図である。この図１３では、舌の断面が表示されており、白部分が脂肪を示し、黒部分は筋肉を示す。そして、本実施形態において、舌の断面積当たりの脂肪量をＬｆとする。また、図１４は、このときの脂肪部分及び筋肉部分の等価回路を示す図である。図１４に示すＲｆは、脂肪部分の抵抗成分である。
【００４７】
前述したように、脂肪部分においては容量成分を殆ど無視することができる。また、Ｓｍは筋肉部分に相当する部分を示し、Ｒｊは筋肉部分の細胞外液５４の抵抗成分を示し、Ｒｋは筋肉部分の細胞内液５０の抵抗成分を示し、Ｃｌは筋肉部分の細胞膜５２の容量成分を示す。このとき、電極が接触する舌におけるリアクタンスＸとレジスタンスＲとの比であるＲ／Ｘは、以下の式（６）で表される。
【数６】
2014188029.tif 000008
【００４８】
また、脂肪部分の抵抗成分Ｒｆは脂肪量Ｌｆに反比例するため、両者の関係は以下の式（７）で表される。
【数７】
2014188029.tif 000009
上記式（７）においてｋは定数である。
上述の式（６）及び式（７）から、脂肪量Ｌｆは以下の式（８）で表される。
【数８】
2014188029.tif 000010
【００４９】
上記式（８）においてｆ及びｇは定数である。上記式（８）からも理解されるように、脂肪量ＬｆとＲ／Ｘとは比例関係にある。つまり、図１３（ａ）に示すように、脂肪量Ｌｆが大きいほど脂肪部分の性質が支配的となって位相差は小さくなるから、レジスタンスＲに対するリアクタンスＸの割合が小さくなる（Ｒ／Ｘの値は大きくなる）。一方、図１３（ｂ）に示すように、脂肪量Ｌｆが小さいほど筋肉部分の性質が支配的となって位相差が大きくなるから、レジスタンスＲに対するリアクタンスＸの割合は大きくなる（Ｒ／Ｘの値は小さくなる）ことが分かる。また、本実施形態においては、第１の電圧測定用電極１２ｃ及び第２の電圧測定用電極１２ｄの位置は固定されているため、舌の脂肪量は舌の脂肪断面積と比例することになる。即ち、舌の脂肪断面積は、式（８）で与えられる舌の脂肪量に係数を乗算して得られる。舌の脂肪断面積をＳｆ、リアクタンスＸ、レジスタンスＲとすると、舌の脂肪断面積をＳｆはＲ／Ｘをパラメータとして、以下に示す式（９）で与えられる。
【数９】
2014188029.tif 000011
但し、ｈ及びｉは定数である。
【００５０】
このように舌の脂肪断面積とＲ／Ｘとには一定の関係がある。式（９）の定数ｈ及びｉを特定するために、出願人は、多数の利用者について、Ｒ／Ｘと、ＭＲＩを用いて舌の脂肪断面積とを測定した。図１５は、Ｒ／Ｘと、ＭＲＩで計測した脂肪断面積Ｓｆの実測値との関係を示す相関図である。Ｒ／ＸとＭＲＩで計測した舌の脂肪断面積の実測値とは相関係数ｒ＝０．９２という高い相関が得られる。出願人は、この実測値を回帰分析することによって、定数ｈ及びｉを定めた。
メモリ２６には、式（９）が格納されており、指標生成部３２は、電流発生部２４で生成される交流電流と電圧測定部２３で測定された電圧とに基づいてＲ／Ｘを算出し、メモリ２６に記憶された式（９）を読み出し、読み出した式（９）に算出されたＲ／Ｘをを代入することによって、舌の脂肪断面積を生成する。
【００５１】
＜Ｃ：舌測定装置の動作＞
次に、舌測定装置１００の動作について説明する。本実施形態では、利用者は、本体２０を持ち、プローブ１０のいずれかの溝（１３ａ，１３ｂ，１３ｃ）を前歯で噛み、電極（１２ａ，１２ｂ，１２ｃ，及び１２ｄ）に舌に接触させる。そして、各種の測定結果が表示部２２に表示される。以下、図１６を参照しながら、その具体的な内容について説明する。図１６は、本実施形態に係る舌測定装置１００の具体的な動作を示すフローチャートである。
【００５２】
先ず、利用者によって電源キー２１ｂがオンとされると、電源部２５からの電源供給が開始され、舌測定装置１００は測定モードになる。
【００５３】
その後、舌測定装置１００は、利用者によって測定キー２１ａで測定開始とされるまで待機し（ステップＳ１における“Ｎ”）、測定キー２１ａが操作され、設定開始にされると（Ｓ１における“Ｙ”）、舌のインピーダンスを計測する計測位置を特定する（ステップＳ２）。
【００５４】
具体的には、位置特定部３３が位置検出センサ１１ａ〜１１ｃのいずれかからの検出信号を取得するまで待機する（ステップＳ２における“Ｎ”）。一方、利用者が利用者の歯で溝１３を噛むことで、位置特定部３３が位置検出センサ１１ａ〜１１ｃのいずれかからの検出信号を取得すると（ステップＳ２における“Ｙ”）、舌のインピーダンスを計測する計測位置を特定する。
【００５５】
そして、ＣＰＵ３０は、検出信号を検出している間に、利用者の舌における筋肉断面積の測定、脂肪断面積の測定、及び評価レベルの判定を行う。より具体的には、電極（１２ａ，１２ｂ，１２ｃ，及び１２ｄ）が利用者の舌に接触すると、第１の電流印加用電極１２ａ及び第２の電流印加用電極１２ｂのうちのいずれか一方の電極から、利用者を介して他方の電極へ至る電流経路が形成される。そして、当該電流経路には、電流発生部２４から出力される交流電流が流れる。インピーダンス算出部３１は、当該電流経路を流れる交流電流と、電圧測定部２３にて測定される電圧とに基づいて、第１の電流印加用電極１２ａと第２の電流印加用電極１２ｂとの間におけるリアクタンスＸとレジスタンスＲを求める（ステップＳ３及びステップＳ４）。
【００５６】
その後、ＣＰＵ３０は、レジスタンスＲとリアクタンスＸとから、舌のインピーダンスＺを算出する（ステップＳ５）。具体的には、ＣＰＵ３０は上述した式（１）の演算を実行する。その後、ＣＰＵ３０は、算出された舌のインピーダンスＺを、上記式（４）に代入して舌の筋肉断面積Ｓｍを生成する（ステップＳ６）。さらに、ＣＰＵ３０は、生成した舌の筋肉断面積Ｓｍを上記式（５）に代入して舌圧を生成する（ステップＳ７）。その後、ＣＰＵ３０は、生成した舌圧と基準評価レベルＲa1、Ｒa2、Ｒb1、及びＲb2と比較して舌を動かす能力の評価レベルを判定する（ステップＳ８）。
【００５７】
また、ＣＰＵ３０は、レジスタンスＲとリアクタンスＸとから上記式（９）に基づいて、舌の脂肪断面積を生成する（ステップＳ９）。なお、ＣＰＵ３０は、ステップＳ６で生成した舌の筋肉断面積とステップＳ９で生成した舌の脂肪断面積から、それぞれ舌の筋肉率又は脂肪率を以下に示す式に従って算出してもよい。
舌の筋肉率＝舌の筋肉断面積／（舌の筋肉断面積＋舌の脂肪断面積）
舌の脂肪率＝舌の脂肪断面積／（舌の筋肉断面積＋舌の脂肪断面積）
【００５８】
そして、ＣＰＵ３０は、前述のようにして求めた各種結果（舌圧値、舌の筋肉断面積、舌の脂肪断面積、及び評価レベル）を表示部２２に表示させるように制御する（ステップＳ１０）。そして、その結果情報は、測定位置とともに、履歴テーブルに記録される（ステップＳ１１）。例えば、測定日時が２０１３年３月１日の１４時３０分であり、利用者が溝１３ｂを咥えて測定し、舌圧が３８ｋＰａ、舌の筋肉断面積が６００ｍｍ２、舌の脂肪断面積が２００ｍｍ２であったとする。この場合、溝１３ｂを咥えたことが位置検出センサ１１ｂによって検出されるので、ＣＰＵ３０は、測定位置を舌の中央部と判定する。また、上述した例で示したように舌圧の平均値Ａｖが４７.３ｋＰａ、標準偏差ＳＤが２.６ｋＰａであり、評価基準レベルＲb2が４２.１ｋＰａであったとすると、測定された舌圧が３８ｋＰａは評価基準レベルＲb2未満であるので、ＣＰＵ３０は評価レベルを「要介護レベル」と判定する。これらの測定結果は、図５に示す履歴テーブルＴＢＬの太枠で示す部分に記録される。
【００５９】
以上に説明したように、本実施形態において、指標生成部３２は、舌を流れる交流電流と電圧測定部２３にて測定された電圧とから舌のインピーダンスを算出し、舌のインピーダンスから舌の筋肉断面積を推定するとともに、推定した舌の筋肉断面積に基づいて舌を動かす能力の評価レベルを生成する。このように、本実施形態によれば、実際に舌の運動を行わせることなく、舌を動かす能力を示す指標を簡便に推定することができる。
【００６０】
また、本実施形態によれば、プローブ１０の根元側には、複数の溝（１３ａ，１３ｂ，及び１３ｃ）が形成されているので、利用者がプローブ１０のいずれかの溝を歯で噛むことで、舌と接触する電流印加用電極１２ａ及び１２ｂと電圧測定用電極１２ｃ及び１２ｄとの位置が固定されるため、測定位置のずれによって生じる測定値のバラツキを防止することができる。さらに、利用者が異なる溝（１３ａ，１３ｂ，１３ｃ）を噛むことで、舌に接触する電極の位置を変更させることができるため、舌の各部分における運動機能を測定することができる。
【００６１】
さらに、本実施形態では、複数の溝（１３ａ，１３ｂ，及び１３ｃ）の各々に対応して位置検出センサ（１１ａ，１１ｂ，又は１１ｃ）を備え、位置特定部３３は、位置検出センサ（１１ａ，１１ｂ，及び１１ｃ）からの出力信号に基づいて、舌のインピーダンスを計測する計測位置を特定することができる。この結果、測定位置と指標とを対応付けて履歴テーブルＴＢＬに記憶でき、舌の各部における運動機能を分析することが可能となり、詳細な評価をすることができる。
【００６２】
＜Ｃ：変形例＞
本発明は上述した実施形態に限定されるものではなく、例えば、以下の変形が可能である。また、以下に示す変形例のうちの２以上の変形例あるいは上述した実施形態を組み合わせることもできる。
【００６３】
（１）変形例１
上述の実施形態では、舌のインピーダンスから舌の筋肉断面積を推定し、推定した舌の筋肉断面積に基づいて舌圧を推定した。即ち、舌圧は、舌のインピーダンスに基づいて間接的に特定したが、本発明はこれに限定されるものではなく、舌のインピーダンスから直接、舌圧を推定してもよいことは勿論である。
出願人は、多数の利用者について、舌のインピーダンスを測定すると共に、舌圧測定器を用いて舌圧を測定した。この舌圧測定器は小型風船を舌と上顎口蓋部との間に挟み、舌で小型風船を力いっぱい押し上げることにより、小型風船と連通した変換部で空気圧を検出し電気信号に変換して、舌圧を測定するものである。
図１７は、上記測定によって得られた舌のインピーダンスと舌圧との相関図であり、両者には相関係数ｒ＝０．９１という高い相関がある。この測定結果を回帰分析して、舌のインピーダンスと舌圧との関係を表す回帰式を得た。舌のインピーダンスをＺ、舌圧をＴpとしたとき、回帰式は以下に示す式（１０）で与えられる。
【数１０】
2014188029.tif 000012
但し、ｅ及びｆは定数である。回帰式（１０）を用いた推定方法によれば、舌のインピーダンスの値をパラメータとして用いることにより舌圧を高い精度で推定することができる。指標生成部３２は、舌のインピーダンスをメモリ２６に保存されている回帰式（１０）に代入することで、舌圧Ｔpの値を求める。
【００６４】
（２）変形例２
上述の実施形態では、舌を動かす能力を示す指標として、舌圧を例示したが、本発明はこれに限定されるものではなく、舌を動かす機能を示すのであればどのような指標を算出してもよい。例えば、一定時間に唾を飲み込める回数であってもよいし、あるいは、一定時間に「パ」「タ」「カ」といった破裂音を発音できる回数であってもよい。唾を飲み込む動作では、舌の筋肉を動かして唾を喉に送る必要があり、舌を動かす機能が発揮され、また、破裂音を発音するには、舌を上顎に接触させ動かす必要があり、舌を動かす機能が発揮されることから、これらの回数を舌を動かす能力を示す指標として用いることができる。なお、これらの舌圧、唾を飲み込める回数、及び破裂音を発音できる回数を組み合わせて、舌全体の運動機能として評価を行ってもよい。
【００６５】
ここで、唾を飲み込む回数や発音回数を取得する方法としては、利用者が別途計数した数値を入力キーにより入力するようにしてもよい。この場合において、舌測定装置１００に、ストップウォッチ機能及びカウンター機能を設け、単位時間あたりの回数を簡便に入力するインターフェースを本体に設けてもよい。さらに、発音回数については、例えば、本体に音センサを設け、単位時間あたりの破裂音を認識して発音回数をカウントしてもよい。
【００６６】
唾を飲み込める回数を舌を動かす能力を示す指標とする場合には、多数の利用者について舌のインピーダンスと一定時間に唾を飲み込める回数とを測定し、測定結果を重回帰解析して舌のインピーダンスを変数とする回帰式を予め求める。そして、回帰式に舌のインピーダンスを代入する演算をＣＰＵ３０が実行することによって一定時間に唾を飲み込める回数を算出してもよい。
【００６７】
また、破裂音を発音できる回数を舌を動かす能力を示す指標とする場合には、多数の利用者について舌のインピーダンスと破裂音を発音できる回数とを測定し、測定結果を重回帰解析して舌のインピーダンスを変数とする回帰式を予め求める。そして、回帰式に舌のインピーダンスを代入する演算をＣＰＵ３０が実行することによって一定時間に破裂音を発音できる回数を算出してもよい。
【００６８】
（３）変形例３
上述の実施形態では、第１の電流印加用電極１２ａ及び第２の電流印加用電極１２ｂは、第１の電圧測定用電極１２ｃと第２の電圧測定用電極１２ｄとの間に挟まれるようにして配置されるという態様が例示されているが、これに限らず、例えば、第１の電圧測定用電極１２ｃ及び第２の電圧測定用電極１２ｄが、第１の電流印加用電極１２ａと第２の電流印加用電極１２ｂとの間に挟まれるという態様とすることもできる。
【００６９】
（４）変形例４
上述の実施形態では、複数の溝（１３ａ，１３ｂ，及び１３ｃ）は、上下に設けられ、利用者の上前歯及び下前歯で噛まれるように配置されるという態様が例示されているが、これに限らず、例えば、図１８（ａ）に示すように、下面にのみ溝（１４ａ，１４ｂ，及び１４ｃ）が設けられる態様とすることもでき、また、図１８（ｂ）に示すように、上面にのみ溝（１５ａ，１５ｂ，及び１５ｃ）を設けられる態様とすることもできる。
【００７０】
（５）変形例５
上述の実施形態では、電極（１２ａ，１２ｂ，１２ｃ，及び１２ｄ）は、プローブの全周にわたって設けられる態様が例示されているが、これに限らず、例えば、図１９に示すように、舌と接触する下面に、一対の電流印加用電極１６ａ及び１６ｂと一対の電圧測定用電極１６ｃ及び１６ｄが設けられる態様とすることもできる。この場合には、口蓋に一対の電流印加用電極１６ａ及び１６ｂと一対の電圧測定用電極１６ｃ及び１６ｄが接触することを防止できるため、測定精度を向上させることができる。
【００７１】
（６）変形例６
上述の実施形態では、プローブ１０の断面形状は図２示すように長方形として説明したが、本発明はこれに限定されるものではない。例えば、図２０（ａ）に示すように正方形、
図２０（ｂ）に示すように三角形、図２０（ｃ）に示すように円、図２０（ｄ）に示すように楕円であってもよい。
【００７２】
（７）変形例７
上述の実施形態では、プローブ１０の断面形状は図２示すように長方形として説明したが、本発明はこれに限定されるものではない。例えば、図２０（ａ）に示すように正方形、
図２０（ｂ）に示すように三角形、図２０（ｃ）に示すように円、図２０（ｄ）に示すように楕円であってもよい。
【００７３】
（８）変形例８
上述した実施形態では、メモリ２６に、舌のインピーダンスと舌の筋肉断面積とを対応づける回帰式と、舌の筋肉断面積と舌を動かす能力を示す指標の一例である舌圧とを対応づける回帰式とを記憶し、ＣＰＵ３０は、これらの回帰式を読み出して、舌のインピーダンスに基づいて舌圧を生成したが、本発明はこれに限定されるものではなく、メモリ２６に、舌のインピーダンスと舌を動かす能力を示す指標との関係として、舌のインピーダンスと舌の筋肉断面積とを対応づけるテーブルと、舌の筋肉断面積と舌を動かす能力を示す指標とを対応づけるテーブルとを記憶しておき、ＣＰＵ３０は、これらのテーブルを参照して、舌のインピーダンスから舌圧を生成してもよい。また、変形例１についても同様であり、メモリ２６に、舌のインピーダンスと舌圧とを対応づけるテーブルとを記憶しておき、ＣＰＵ３０は、このテーブルを参照して、舌のインピーダンスから舌圧を生成してもよい。
要は、メモリ２６に、舌のインピーダンスと舌を動かす能力を示す指標とを対応づける関係を、直接的又は間接的に記憶しておき、記憶した関係を用いて、舌のインピーダンスに基づいて舌を動かす能力を示す指標を生成すればよい。
【００７４】
（９）変形例９
上述した実施形態では、舌の先端部、中央部、及び奥部といった箇所で測定できるようにプローブ１０に複数の溝１３ａ，１３ｂ，及び１３ｃを設けたが、電極間の距離ｄを大きく取ると（例えば、２０ｍｍに近くする）、舌の先端部から舌の奥部に亘って電極（１２ａ，１２ｂ，１２ｃ，及び１２ｄ）を配置することができる。この場合、ある溝の中心と隣り合う溝の中心との間の距離をｄｘとしたとき、ｄｘ＜ｄとすることで、舌全体について舌を動かす能力を示す指標を生成することができ、どの溝を噛むかによって、舌の大きさに合わせて電極（１２ａ，１２ｂ，１２ｃ，及び１２ｄ）を舌に接触させる箇所を微調整することが可能となる。
【符号の説明】
【００７５】
１０……プローブ、１１ａ，１１ｂ，１１ｃ……位置検出センサ、１２ａ……第１の電流印加用電極、１２ｂ……第２の電流印加用電極、１２ｃ……第１の電圧測定用電極、１２ｄ……第２の電圧測定用電極、１３ａ，１３ｂ，１３ｃ……溝、２０……本体、２２……表示部、２１……入力部、２３……電圧測定部、２４……電流発生部、２５……電源部、２６……メモリ、３０……ＣＰＵ、３１……インピーダンス算出部、３２……指標生成部、３３……位置特定部、１００……舌測定装置。
【図１】
2014188029.tif 000013
【図２】
2014188029.tif 000014
【図３】
2014188029.tif 000015
【図４】
2014188029.tif 000016
【図５】
2014188029.tif 000017
【図６】
2014188029.tif 000018
【図７】
2014188029.tif 000019
【図８】
2014188029.tif 000020
【図９】
2014188029.tif 000021
【図１０】
2014188029.tif 000022
【図１１】
2014188029.tif 000023
【図１２】
2014188029.tif 000024
【図１３】
2014188029.tif 000025
【図１４】
2014188029.tif 000026
【図１５】
2014188029.tif 000027
【図１６】
2014188029.tif 000028
【図１７】
2014188029.tif 000029
【図１８】
2014188029.tif 000030
【図１９】
2014188029.tif 000031
【図２０】
2014188029.tif 000032